(57)【要約】【課題】稼働中であっても、低消費電力化を実現し得る記録再生装置を提供する。【解決手段】メモリビデオサーバ１のパワーコントロールユニット１６において、電源投入時にイベントが発生するか否かを判定するようにし、この判定結果に基づいて消費電力の大半を占めるエンコーダユニット１３及びデコーダユニット１５の電力レベルを制御するようにしている。また、深夜などの長時間使用しないときには、スタンバイモードから休止モードに移行してエンコーダユニット１３、メモリユニット１４、デコーダユニット１５、クロック発生ユニット１７の電力レベルをオフにし、ＣＰＵユニット１６及び電源ユニット２０のみ電力レベルをレベル１にセットしておくようにしている。【選択図】      図２
2011029834.tif 000002
【特許請求の範囲】
【請求項１】
情報信号を符号化して記録媒体に記録する符号化部と、
前記記録媒体に記録された符号化データを読み出し前記情報信号に復号する復号部と、
前記符号化部及び前記復号部に対し内部バスを介して接続され前記情報信号の符号化処理または復号処理に係わる信号処理を実行する複数の信号処理部と、
前記符号化部、前記復号部及び前記複数の信号処理部に対し内部バスを介して接続され各部の信号処理を統括的に制御する処理制御部と、
前記符号化部、前記復号部、前記記録媒体、前記複数の信号処理部及び前記処理制御部それぞれの電力レベルを制御する電源制御部とを具備し、
前記電源制御部は、
起動時に、前記記録媒体への情報信号の記録または再生に関するイベントが発生するか否かを判定する判定手段と、
この判定手段による判定結果から前記イベントが発生しない場合に、前記符号化部、前記復号部、前記記録媒体及び前記複数の信号処理部の電力レベルを所定レベル未満に制御する待機モードを実行する待機モード実行手段と、
待機モード実行中に予め設定された時間内に前記イベントが発生しない場合に、前記符号化部、前記復号部、前記記録媒体及び前記複数の信号処理部の電力レベルをオフにし、前記処理制御部のみ電力レベルを所定レベル未満に制御する休止モードを実行する休止モード実行手段とを備えたことを特徴とする記録再生装置。
【請求項２】
前記電源制御部は、前記記録媒体への情報信号の記録または再生に関するイベントが発生した場合に、前記符号化部、前記記録媒体及び前記復号部の電力レベルを所定レベル以上に制御して記録処理または再生処理を実行し、記録処理または再生処理終了後に前記待機モードに移行するイベント処理実行手段を備えたことを特徴とする請求項１記載の記録再生装置。
【請求項３】
前記休止モード実行手段は、待機モード実行中に予め設定された時間内に前記イベントが発生しない場合に、前記休止モードに移行する旨をユーザに報知し、この報知に対しユーザが休止モード実行指示を入力した場合に前記休止モードに移行することを特徴とする請求項１記載の記録再生装置。
【請求項４】
前記休止モード実行手段は、
待機モード実行中に予め設定された時間内に前記イベントが発生しない場合に、前記休止モードに移行する旨をユーザに報知し、この報知に対しユーザが休止モード実行指示を入力した場合に前記休止モードに移行する第１処理手段と、
待機モード実行中に予め設定された時間内に前記イベントが発生しない場合に、自動的に前記待機モードに移行する第２処理手段と、
ユーザの指定操作に応じて、前記第１及び第２処理手段を選択的に実行する選択制御手段とを備えたことを特徴とする請求項１記載の記録再生装置。
【請求項５】
前記電源制御部は、前記符号化部、前記復号部、前記記録媒体、前記複数の信号処理部及び前記処理制御部に対し前記内部バスとは独立した電力制御バスにより接続されることを特徴とする請求項１記載の記録再生装置。
【請求項６】
前記電源制御部は、前記符号化部が複数の入力ポートを収容し、前記復号部が複数の出力ポートを収容する場合に、各入力ポート及び各出力ポートごとに電力レベルを制御することを特徴とする請求項１記載の記録再生装置。
【請求項７】
放送素材データを符号化して記録媒体に記録する符号化部と、
前記記録媒体に記録された符号化データを読み出し前記放送素材データに復号する復号部と、
前記符号化部及び前記復号部に対し内部バスを介して接続され前記放送素材データの符号化処理または復号処理に係わる信号処理を実行する複数の信号処理部と、
前記符号化部、前記復号部及び前記複数の信号処理部に対し内部バスを介して接続され各部の信号処理を統括的に制御する処理制御部と、
前記符号化部、前記復号部、前記記録媒体、前記複数の信号処理部及び前記処理制御部それぞれの電力レベルを制御する電源制御部とを具備し、
前記電源制御部は、
起動時に、前記記録媒体への放送素材データの記録または再生に関するイベントが発生するか否かを判定する判定手段と、
この判定手段による判定結果から前記イベントが発生しない場合に、前記符号化部、前記復号部、前記記録媒体及び前記複数の信号処理部の電力レベルを所定レベル未満に制御する待機モードを実行する待機モード実行手段と、
待機モード実行中に予め設定された時間内に前記イベントが発生しない場合に、前記符号化部、前記復号部、前記記録媒体及び前記複数の信号処理部の電力レベルをオフにし、前記処理制御部のみ電力レベルを所定レベル未満に制御する休止モードを実行する休止モード実行手段とを備えたことを特徴とするビデオサーバ。
【請求項８】
情報信号を符号化して記録媒体に記録する符号化部と、前記記録媒体に記録された符号化データを読み出し前記情報信号に復号する復号部と、前記符号化部及び前記復号部に対し内部バスを介して接続され前記情報信号の符号化処理または復号処理に係わる信号処理を実行する複数の信号処理部と、前記符号化部、前記復号部及び前記複数の信号処理部に対し内部バスを介して接続され各部の信号処理を統括的に制御する処理制御部と、前記符号化部、前記復号部、前記記録媒体、前記複数の信号処理部及び前記処理制御部それぞれの電力レベルを制御する電源制御部とを備える記録再生装置に用いられ、
起動時に、前記記録媒体への情報信号の記録または再生に関するイベントが発生するか否かを判定する第１ステップと、
この第１ステップによる判定結果から前記イベントが発生しない場合に、前記符号化部、前記復号部、前記記録媒体及び前記複数の信号処理部の電力レベルを所定レベル未満に制御する待機モードを実行する第２ステップと、
待機モード実行中に予め設定された時間内に前記イベントが発生しない場合に、前記符号化部、前記復号部、前記記録媒体及び前記複数の信号処理部の電力レベルをオフにし、前記処理制御部のみ電力レベルを所定レベル未満に制御する休止モードを実行する第３ステップとを備えることを特徴とする記録再生装置の電源制御方法。
【発明の詳細な説明】
【技術分野】
【０００１】
この発明は、放送番組の送出素材を格納するビデオサーバに係り、特にビデオサーバや記録再生装置の電源制御方法に関する。
【背景技術】
【０００２】
周知のように、放送番組送出システムにあっては、放送番組の送出素材を予めビデオサーバに格納しておき、自動番組送出制御装置（ＡＰＣ）からの指示に従って該当する素材を再生し、オンエアを行うようになっている。
【０００３】
ところで、上記ビデオサーバは、収録も再生動作もしていない状態でも、常にフルパワーの状態で２４時間、３６５日、１０年間位は動作していた。よってサーバとしては、常に定格消費電力を消費していることになる。電力を消費することにより、機器としては常に発熱をするのでファンも回りっぱなしである。その排出された廃熱が室内を上昇させ、それを抑えるためにエアコンが常に稼動している。そのエアコンも消費電力を消費することになる。
【０００４】
なお、この種に関連する従来技術として、特許文献１に、ホーム・ゲートウェイ装置において、通電ユニット毎の電力制御を行って低消費電力を実現する構成が示されている。但し、この特許文献１に記載のものは、ホーム・ゲートウェイ装置内で異なるインターネットに接続するための各システムの電源を通電状態／非通電状態に切り替えるものであって、放送番組送出システムに使用されるビデオサーバに関するものではない。
【先行技術文献】
【特許文献】
【０００５】
【特許文献１】特開２００２−３１９９５６公報。
【発明の概要】
【発明が解決しようとする課題】
【０００６】
以上のように、ビデオサーバにあっては、稼働中であっても、低消費電力を図るための有効な実現手段が強く望まれていた。
【０００７】
そこで、この発明の目的は、稼働中であっても、低消費電力化を実現し得る記録再生装置、ビデオサーバ及び記録再生装置の電源制御方法を提供することにある。
【課題を解決するための手段】
【０００８】
上記目的を達成するために、この発明に係る記録再生装置は、情報信号を符号化して記録媒体に記録する符号化部と、記録媒体に記録された符号化データを読み出し情報信号に復号する復号部と、符号化部及び復号部に対し内部バスを介して接続され情報信号の符号化処理または復号処理に係わる信号処理を実行する複数の信号処理部と、符号化部、復号部及び複数の信号処理部に対し内部バスを介して接続され各部の信号処理を統括的に制御する処理制御部と、符号化部、復号部、記録媒体、複数の信号処理部及び処理制御部それぞれの電力レベルを制御する電源制御部とを具備し、電源制御部は、起動時に、記録媒体への情報信号の記録または再生に関するイベントが発生するか否かを判定する判定手段と、この判定手段による判定結果からイベントが発生しない場合に、符号化部、復号部、記録媒体及び複数の信号処理部の電力レベルを所定レベル未満に制御する待機モードを実行する待機モード実行手段と、待機モード実行中に予め設定された時間内にイベントが発生しない場合に、符号化部、復号部、記録媒体及び複数の信号処理部の電力レベルをオフにし、処理制御部のみ電力レベルを所定レベル未満に制御する休止モードを実行する休止モード実行手段とを備えるようにしたものである。また、電源制御部は、記録媒体への情報信号の記録または再生に関するイベントが発生した場合に、符号化部、記録媒体及び復号部の電力レベルを所定レベル以上に制御して記録処理または再生処理を実行し、記録処理または再生処理終了後に待機モードに移行するイベント処理実行手段を備える。
【０００９】
この構成によれば、起動時にイベントが発生するか否かを判定するようにし、この判定結果に基づいて消費電力の大半を占める符号化部及び復号部の電力レベルを制御するようにしているので、効率的に電力を消費させることができる。なお、記録媒体には、ほとんど消費電力を消費しないフラッシュメモリが使用される。また、深夜などの長時間使用しないときには、待機モードから休止モードに移行して符号化部、復号部、記録媒体及び複数の信号処理部の電力レベルをオフにし、処理制御部のみ電力レベルを所定レベル未満にセットしておくことで、大幅な低消費電力化が実現でき、さらにイベント発生時には、即座に符号化部及び復号部をスタンバイ状態にすることができる。
【００１０】
従って、部品の通電時間が相対的に短くなるので、その分部品レベルの寿命が延びる。
【００１１】
また、この発明に係る記録再生装置において、休止モード実行手段は、待機モード実行中に予め設定された時間内にイベントが発生しない場合に、休止モードに移行する旨をユーザに報知し、この報知に対しユーザが休止モード実行指示を入力した場合に休止モードに移行する。
【００１２】
この構成によれば、待機モードから休止モードに移行するごとにユーザが自身で休止モードに移行する必要があるか否かを判断して指示することができ、これにより真に必要な場合のみ休止モードに移行させることができる。
【００１３】
また、この発明に係る記録再生装置において、休止モード実行手段は、待機モード実行中に予め設定された時間内にイベントが発生しない場合に、休止モードに移行する旨をユーザに報知し、この報知に対しユーザが休止モード実行指示を入力した場合に休止モードに移行する第１処理手段と、待機モード実行中に予め設定された時間内にイベントが発生しない場合に、自動的に待機モードに移行する第２処理手段と、ユーザの指定操作に応じて、第１及び第２処理手段を選択的に実行する選択制御手段とを備えるようにした。
【００１４】
この構成によれば、例えばある時間帯では休止モードに移行するごとにユーザが自身で休止モードに移行する必要があるか否かを判断して指示し、別の時間帯では自動的に休止モードに移行するというように、例えば時間帯ごとに最適な休止モードへの移行を行うことができる。時間帯以外にも周囲の使用環境等も用いることができる。
【００１５】
電源制御部は、符号化部、復号部、記録媒体、複数の信号処理部及び処理制御部に対し内部バスとは独立した電力制御バスにより接続される。
【００１６】
この構成によれば、信号処理制御と電力制御とをそれぞれ独立して並列的に実行することができ、これにより信号処理及び電力制御を相互に影響を及ぼすことなく確実に行うことができる。
【発明の効果】
【００１７】
この発明によれば、稼働中であっても、低消費電力化を実現し得る記録再生装置、ビデオサーバ及び記録再生装置の電源制御方法を提供することができる。
【図面の簡単な説明】
【００１８】
【図１】この発明に係る一実施形態とする放送番組送出システムの構成を示すブロック図。
【図２】この発明の記録再生装置としてのメモリビデオサーバの具体的構成を示すブロック図。
【図３】上記図２に示したメモリテーブルの記憶内容の一例を示す図。
【図４】同実施形態において、パワーコントロールユニットの電力制御処理手順を示すフローチャート。
【図５】同実施形態において、電源投入時、収録時の各ユニット間の情報の送受信動作を説明するために示すシーケンス図。
【図６】同実施形態において、送出時の各ユニット間の情報の送受信動作を説明するために示すシーケンス図。
【図７】同実施形態において、収録・送出時の各ユニット間の情報の送受信動作を説明するために示すシーケンス図。
【図８】同実施形態において、休止時の各ユニット間の情報の送受信動作を説明するために示すシーケンス図。
【図９】同実施形態を実施した場合のトータル消費電力を説明するために示す図。
【発明を実施するための形態】
【００１９】
以下、この発明の実施形態について図面を参照して詳細に説明する。  
図１は、この発明に係る一実施形態とする放送番組送出システムの構成を示すブロック図である。図１において、メモリビデオサーバ１は例えばＶＴＲ(Video Tape Recorder)２から出力されるオンエア用放送番組の素材を符号化して格納しておくもので、ＡＰＣ等の外部コントローラ３から与えられる外部収録制御情報または外部送出制御情報に応じて、該当する素材の記録または再生を行う。この再生データは、例えば送出マスタースイッチャー４に導かれ、選択的にオンエア出力される。
【００２０】
図２は、上記メモリビデオサーバ１の具体的構成を示すブロック図である。メモリビデオサーバ１は、データバス１１とコントロールバス１２とを有する。データバス１１には、エンコーダユニット１３と、メモリユニット１４と、デコーダユニット１５とが接続される。コントロールバス１２には、エンコーダユニット１３と、メモリユニット１４と、デコーダユニット１５と、ＣＰＵユニット１６と、クロック発生ユニット１７と、操作端末１８と、パワーコントロールユニット１９とが接続される。なお、メモリユニット１４には、ほとんど消費電力を消費しないフラッシュメモリが使用される。
【００２１】
すなわち、ＶＴＲ(Video Tape Recorder)２から出力された素材は、エンコーダユニット１３で符号化され、データバス１１を介してメモリユニット１４に書き込まれる。また、メモリユニット１４から再生された符号化データは、データバス１１を介してデコーダユニット１５により元の素材、つまりビデオ信号に復号されて送出マスタースイッチャー４に出力される。
【００２２】
一方、ＣＰＵユニット１６は、外部コントローラ３からの制御情報または操作端末１８の操作入力指示に従い、メモリユニット１４に対する素材の書き込み／読み出し制御を行うものであるが、プレビュー機能やエンコーダユニット１３、メモリユニット１４、デコーダユニット１５、ＣＰＵユニット１６、クロック発生ユニット１７、パワーコントロールユニット１９の制御機能も備えている。クロック発生ユニット１７は、素材の書き込み／読み出し制御に必要なクロックを発生するものである。
【００２３】
また、パワーコントロールユニット１９は、エンコーダユニット１３、メモリユニット１４、デコーダユニット１５、ＣＰＵユニット１６、クロック発生ユニット１７及び電源ユニット２０に対し、データバス１１及びコントロールバス１２とは独立したパワーコントロールバス２１を介して接続され、メモリテーブル２２に従って、各部の電力レベルの制御を行うものである。なお、メモリテーブル２２には、図３に示すように、メモリビデオサーバ１のステータスと、エンコーダユニット１３、メモリユニット１４、デコーダユニット１５、ＣＰＵユニット１６、クロック発生ユニット１７及び電源ユニット２０に設定する電力レベルとの対応関係を表すデータが記憶される。なお、レベル1は、上位から指示データを受信し各ユニットへのコントロールが行えるための最低限の電力を供給できる出力レベルであり、レベル２は収録、または送出だけを行うためのパワーセーブ出力レベルであり、レベル３は収録と送出を同時に行うフル稼働時に供給するパワー出力レベルである。
【００２４】
次に、上記構成における電力制御処理について説明する。  
図４は、上記パワーコントロールユニット１９の電力制御処理手順を示すフローチャートである。まず、操作端末１８から電源投入があった場合に（ステップＳＴ４ａ）、図５（ａ）に示すように、エンコーダユニット１３、メモリユニット１４、デコーダユニット１５、ＣＰＵユニット１６、クロック発生ユニット１７及び電源ユニット２０それぞれの電力をレベル３に設定し、図５（ｂ）に示すように、エンコーダユニット１３、メモリユニット１４、デコーダユニット１５、ＣＰＵユニット１６、クロック発生ユニット１７及び電源ユニット２０から機器のステータス、動作状態を取得し正常起動していることを判断する。
【００２５】
続いて、パワーコントロールユニット１９は、収録または送出に関するイベントが発生するか否かを判断し（ステップＳＴ４ｂ）、イベントが発生しない場合には（Ｎｏ）、スタンバイモード（待機モード）に移行してここで図５（ｃ）に示すように、ＣＰＵユニット１６以外、エンコーダユニット１３、メモリユニット１４、デコーダユニット１５、クロック発生ユニット１７及び電源ユニット２０それぞれの電力レベルをレベル１に下げる（ステップＳＴ４ｃ）。ただし、デコーダユニット１５に対しては出力をＢＢ信号だけは出力することも可能である。
【００２６】
（収録時）  
図５（ｄ）に示すように、ＣＰＵユニット１６が上位システムから収録リストを受信すると、パワーコントロールユニット１９は、ＣＰＵユニット１６からコントロールバス１２を介して収録開始の旨が通知されることで、ステップＳＴ４ｂからステップＳＴ４ｄに移行してここで収録であることを判定し（ステップＳＴ４ｅ）、収録モードに入る（ステップＳＴ４ｆ）。このとき、エンコーダユニット１３、メモリユニット１４及びクロック発生ユニット１７をフルパワー（レベル３）に、デコーダユニット１５及び電源ユニット２０をレベル２にセットする。
【００２７】
このとき、ＣＰＵユニット１６は、収録リストに載せられている全番組の素材をエンコーダユニット１３で符号化してメモリユニット１４に書き込むとともに、収録リストに載せられている番組順に素材を指定し、再生箇所を読み出させる。再生データはデコーダユニット１５によってビデオ信号に変換され、図示しないモニタディスプレイに送られ、表示される（ＰＶ（プレビュー）再生）。ＣＰＵユニット１６は、ＰＶ再生を収録リストに載せられている全番組について繰り返し実行し、全番組の実行が完了した場合には、図６（ｂ）に示すように、収録終了の旨をパワーコントロールユニット１９に通知する。
【００２８】
この通知を受けて、パワーコントロールユニット１９は、ステップＳＴ４ｇからステップＳＴ４ｃに移行してここでスタンバイモードに入る。
【００２９】
（送出時）  
図６（ｃ）に示すように、ＣＰＵユニット１６が上位システムから送出リストを受信すると、パワーコントロールユニット１９は、ＣＰＵユニット１６からコントロールバス１２を介して送出開始の旨が通知されることで、送出であることを判定し（ステップＳＴ４ｈ）、送出モードに入る（ステップＳＴ４ｉ）。このとき、メモリユニット１４、デコーダユニット１５及びクロック発生ユニット１７をフルパワー（レベル３）に、電源ユニット２０をレベル２にセットする。なお、エンコーダユニット１３はパワーオフとする。
【００３０】
このとき、ＣＰＵユニット１６は、送出リストに載せられている全番組の素材をメモリユニット１４から読み出す。ＣＰＵユニット１６は、再生を送出リストに載せられている全番組について繰り返し実行し、全番組の実行が完了した場合には、図６（ｄ）に示すように、送出終了の旨をパワーコントロールユニット１９に通知する。
【００３１】
この通知を受けて、パワーコントロールユニット１９は、ステップＳＴ４ｊからステップＳＴ４ｃに移行してここでスタンバイモードに入る。
【００３２】
（登録・送出時）  
図７（ａ）に示すように、ＣＰＵユニット１６が上位システムから収録・送出リストを受信すると、パワーコントロールユニット１９は、ＣＰＵユニット１６からコントロールバス１２を介して収録・送出開始の旨が通知されることで、収録及び送出を同時に行うことを判定し、登録・送出モードに入る。このとき、エンコーダユニット１３、メモリユニット１４、デコーダユニット１５、クロック発生ユニット１７及び電源ユニット２０をフルパワー（レベル３）にセットする。
【００３３】
このとき、ＣＰＵユニット１６は、収録・送出リストに載せられている全番組の素材をエンコーダユニット１３により符号化してメモリユニット１４に書き込み、そしてメモリユニット１４から読み出す。ＣＰＵユニット１６は、収録及び送出をリストに載せられている全番組について繰り返し実行し、全番組の実行が完了した場合には、図７（ｂ）に示すように、収録及び送出終了の旨をパワーコントロールユニット１９に通知する。
【００３４】
この通知を受けて、パワーコントロールユニット１９は、スタンバイモードに入る。
【００３５】
（休止時）  
図８に示すように、パワーコントロールユニット１９は、スタンバイモードを実行中に、予め設定された時間（例えば５分）を経過するか否かを判断し（ステップＳＴ４ｋ）、経過するまで、ステップＳＴ４ｂ乃至ステップＳＴ４ｋの処理を繰り返し実行する。そして、時間を経過した場合に（Ｙｅｓ）、パワーコントロールユニット１９はステップＳＴ４ｌで休止モードに入る旨のメッセージを操作端末１８に供給してＯＳＤ表示させる。従って、この表示によりオペレータは休止モードに入る旨を知ることができる。
【００３６】
この状態でオペレータが、上記休止モードに設定するべく操作端末１８において指示を入力したとする。そうするとパワーコントロールユニット１９はステップＳＴ４ｍからステップＳＴ４ｎに移行してここで休止モードに入る。休止モードは、クロック発生ユニット１７のパワー（電力）をＯＦＦにし電源ユニット２０をレベル１にセットした状態で、ＣＰＵユニット１６のみ上位からのデータ受信できる状態になる。
【００３７】
この休止モードの状態で、パワーコントロールユニット１９はイベントが発生するか否かを判断し（ステップＳＴ４ｏ）、発生しない場合にはそのまま休止モードの状態となるが、収録または送出に関するイベントが発生した場合には（Ｙｅｓ）、上記ステップＳＴ４ｄに移行する。なお、上記ステップＳＴ４ｍにおいて、オペレータが一定時間内に指示を入力しない場合には、上記ステップＳＴ４ｂの処理に移行する。
【００３８】
上記電力制御手順を実行することにより、図９に示すように、２４時間のメモリビデオサーバ１全体の消費電力がフルパワー時に比べて２／３となる。
【００３９】
以上のように上記実施形態では、メモリビデオサーバ１のパワーコントロールユニット１６において、電源投入時にイベントが発生するか否かを判定するようにし、この判定結果に基づいて消費電力の大半を占めるエンコーダユニット１３及びデコーダユニット１５の電力レベルを制御するようにしているので、効率的に電力を消費させることができる。
【００４０】
また、深夜などの長時間使用しないときには、スタンバイモードから休止モードに移行してエンコーダユニット１３、メモリユニット１４、デコーダユニット１５、クロック発生ユニット１７の電力レベルをオフにし、ＣＰＵユニット１６及び電源ユニット２０のみ電力レベルをレベル１にセットしておくことで、大幅な低消費電力化が実現でき、さらにイベント発生時には、即座にエンコーダユニット１３、メモリユニット１４及びデコーダユニット１５をスタンバイ状態にすることができる。
【００４１】
従って、部品の通電時間が相対的に短くなるので、その分部品レベルの寿命が延びる。
【００４２】
また、上記実施形態では、休止モードに入る旨を操作端末１８に表示し、オペレータの指示を待って休止モードを実行するようにしている。このため、オペレータは、現時点で休止モードを実行する必要がない場合には休止モードを実行せずに済む。
【００４３】
また、上記実施形態では、パワーコントロールユニット１９を、エンコーダユニット１３、メモリユニット１４、デコーダユニット１５、ＣＰＵユニット１６及びクロック発生ユニット１７に対しデータバス１１及びコントロールバス１２とは独立したパワーコントロールバス２１により接続するようにしているので、信号処理制御と電力制御とをそれぞれ独立して並列的に実行することができ、これにより信号処理及び電力制御を相互に影響を及ぼすことなく確実に行うことができる。
【００４４】
なお、上記実施形態では、休止モードに入る前に入る旨を一旦オペレータに報知し、オペレータが指示を入力した場合に休止モードを実行するようにした。しかし、これに限ることなく予め設定された時間を経過した時点で自動的にスタンバイモードから休止モードに移行するようにしてもよい。
【００４５】
また、上記オペレータによる指示を待って休止モードを実行する処理と、上記設定された時間を経過した時点で自動的にスタンバイモードから休止モードに移行する処理とを、操作端末１８のオペレータの選択指示に従い選択的に動作させるようにしてもよい。
【００４６】
また、パワーセービング機能は、多チャンネルになればなるほど、送出サーバを２重化、３重化するシステムほど大きな効果を得ることができる。稼働率が低い場合は、部品寿命は延び長持ちし、運用形態によってもパワーセービングモードを変更できる。
【００４７】
送出系サーバの場合は、入出力が多チャンネルの場合が多いので、ポートごとに木目細やかなパワーｏｎ／ｏｆｆさせることにより、消費電力を抑えることもできる。
【００４８】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４９】
１…メモリビデオサーバ、２…ＶＴＲ、３…外部コントローラ、４…送出マスタースイッチャー、１１…データバス、１２…コントロールバス、１３…エンコーダユニット、１４…メモリユニット、１５…デコーダユニット、１６…ＣＰＵユニット、１７…クロック発生ユニット、１８…操作端末、１９…パワーコントロールユニット、２０…電源ユニット、２１…パワーコントロールバス、２２…メモリテーブル。
【図１】
2011029834.tif 000003
【図２】
2011029834.tif 000004
【図３】
2011029834.tif 000005
【図４】
2011029834.tif 000006
【図５】
2011029834.tif 000007
【図６】
2011029834.tif 000008
【図７】
2011029834.tif 000009
【図８】
2011029834.tif 000010
【図９】
2011029834.tif 000011